(57)【特許請求の範囲】
【請求項１】
基板に複数本の毛髪が取り付けられた増毛用ピースをユニット本体に装着して、該増毛用ピースを頭皮に粘着させる際に用いる増毛用ユニットであって、
前記ユニット本体は、前記毛髪が収容される筒状部と、該筒状部の先端面に設けられた細管部とからなり、
前記増毛用ピースは、前記毛髪が前記細管部の先端開口から筒状部に向けて挿入されている状態で前記基板を前記先端開口に仮止めすることにより、前記ユニット本体に装着される増毛用ユニット。
【請求項２】
前記細管部は、前記筒状部の先端面から突出して設けられた突出細管である請求項１記載の増毛用ユニット。
【請求項３】
前記増毛用ピースは、裏面に粘着剤が塗着された基板と、該基板の表面に植設された毛髪とからなり、前記粘着剤よりも接着力の弱い仮止用粘着剤又は仮止用接着剤を介して前記基板の裏面を先端側に向けて前記細管部の先端開口に仮止めされている請求項１又は２に記載の増毛用ユニット。
【請求項４】
前記仮止用粘着剤又は仮止用接着剤が水溶性の粘着剤又は接着剤である請求項３記載の増毛用ユニット。
【請求項５】
前記筒状部の先端面に複数の前記細管部が設けられ、該複数の細管部は前記筒状部の先端面に分散して配設される請求項１〜４のいずれかに記載の増毛用ユニット。
【請求項６】
前記筒状部には、毛髪をＵ字形状に曲折した状態で収容する毛髪保持手段が設けられている請求項１〜５のいずれかに記載の増毛用ユニット。
【発明の詳細な説明】
【０００１】
【発明の属する技術分野】
本発明は、増毛用ユニットに関し、特に基板に複数本の毛髪が取り付けられた増毛用ピースを頭皮に接着する際に用いる増毛用ユニットに関する。
【０００２】
【従来の技術及び発明が解決しようとする課題】
増毛技術としては、かつらを用いる方法や、自毛の根本に人工毛髪を結着させる方法等が一般的に知られている。かつらを使用する方法は、広い面積を一度に覆うことができる反面、むれやすく、また一気に外観がかわるため不自然で、初期コスト及び維持費も高価である。人工毛髪を結着させる方法は、自毛に負担をかけることになるため、かえって脱毛を促進させることになり、また自毛は一月に約１センチ程度伸びるため、外観が不自然になりやすい。
【０００３】
これに対し、接着剤を介して頭皮に人工毛髪を直接接着させるようにした増毛技術が例えば特開平８−４１７１８号公報に記載されている。特開平８−４１７１８号公報によれば、線状物を基材として人工毛髪を複数本結びつけた増毛用ピースを、図８に示す増毛用具を用いて増毛用接着剤により頭皮に接着してゆく。図８に示す増毛用具５０は、透明又は半透明の樹脂フィルム５１を棒状スティック５２の先部に被せて当該棒状スティック５２の先端面５３に増毛用ピース５４を仮固定した状態で、この棒状スティック５２を透明又は半透明のパイプ５５に差し込んでなるもので、増毛時に棒状スティック５２の先端面５３に増毛用接着剤を適量つけ、増毛しようとする頭皮に押し付けて増毛用ピース５４の基材５６を頭皮に接着させた後、パイプ５５及び棒状スティック５２を頭皮から引き上げることにより、増毛用ピース５４を頭皮に植毛する。
【０００４】
しかしながら、上記従来の増毛用具５０によれば、増毛用ピースは人工毛髪を棒状スティック５２と透明又は半透明のパイプ５５との間に挟み込んで保持するものであるため、基材５６を頭皮に接着させた後、パイプ５５及び棒状スティック５２を引き上げる際に、人工毛髪を棒状スティック５２からスムースに抜き出すことができない場合がある。また、棒状スティック５２の先端面５３の広さが大きいため、増毛用ピース５４を頭皮に接着させる際に、周囲の毛髪が邪魔になって増毛用ピース５４の基材５６を頭皮に直接届かせることが困難になり、増毛作業をスムースに行うことができない場合がある。さらに、増毛時に別途用意した増毛用接着剤を先端面５３につける必要があり、増毛作業が煩雑になる。
【０００５】
本発明は、基板を頭皮に粘着させた後、人工毛髪をスムースに抜き出すことを可能にして増毛作業を容易にする増毛用ユニットの提供を目的とする。また、増毛用ピースの基板を頭皮に直接届かせることを容易にしてスムースな増毛作業を可能にする増毛用ユニットの提供を目的とする。また、増毛用接着剤を別途必要とすることなく簡単に増毛作業を行うことの出来る増毛用ユニットの提供を目的とする。
【０００６】
【課題を解決するための手段】
本発明は、基板に複数本の毛髪が取り付けられた増毛用ピースをユニット本体に装着して、該増毛用ピースを頭皮に粘着させる際に用いる増毛用ユニットであって、前記ユニット本体は、前記毛髪が収容される筒状部と、該筒状部の先端面に設けられた細管部とからなり、前記増毛用ピースは、前記毛髪が前記細管部の先端開口から筒状部に向けて挿入されている状態で前記基板を前記先端開口に仮止めすることにより、前記ユニット本体に装着される増毛用ユニットを提供することにより、上記目的を達成したものである。
【０００７】
上記記載における細管部は、筒状部の先端面或いはこれの前方に開口すると共に筒状部の内部と連通し、数本〜数十本の毛髪を挿通可能な中空部を備える細い管状部分を意味し、筒状部の先端面に細管を埋設したり、筒状部の先端面から突出して細管を設ける他、単に筒状部の先端面に貫通孔を形成して細管部とすることもできる。
【０００８】
【発明の実施の形態】
本発明の好ましい実施形態に係る増毛用ユニット１０は、毛髪の薄い部分の頭皮に増毛用ピース１１を直接粘着して毛髪を増毛する際に用いられる増毛用具である（図６（ａ），（ｂ）参照）。そして、本実施形態の増毛用ユニット１０は、図１に示すように、基板１２に複数本の毛髪１３が取り付けられた増毛用ピース１１をユニット本体１４に装着して構成される。
【０００９】
また、ユニット本体１４は、増毛用ピース１１の毛髪１３が収容される筒状部１５と、この筒状部１５の先端面から突出して設けられた細管部としての突出細管１６とからなり、増毛用ピース１１（図３参照）は、毛髪１３が突出細管１６の先端開口から筒状部１５に向けて挿入されている状態で、基板（基材）１２を先端開口に仮止めすることにより、ユニット本体１４に装着されている（図１参照）。
【００１０】
ユニット本体１４の筒状部１５は、図２（ａ）〜（ｄ）にも示すように、一端部が半球状に湾曲して閉塞され、他端が円形に開口する外径１０ｍｍ程度，長さ６０ｍｍ程度の大きさのシリンダー部１７（（ｂ）参照）と、シリンダー部１７の他端開口を閉塞するように取り付けられるヘッド部１８（（ａ），（ｃ），（ｄ）参照）とからなり、ヘッド部１８の先端面には突出細管１６が５箇所から突出して設けられている。また本実施形態によれば、ヘッド部１８の背面側には、その中央部分から立設して、断面を半円状に湾曲させた毛髪保持プレート１９が毛髪保持手段として設けられている。毛髪保持プレート１９は、その半円状断面の内側に中央の突出細管１６と連通する挿通孔２０を配置させて、ヘッド部１８の中央部分に設けれられ、これによって各挿通孔２０から延設される増毛用ピース１１の毛髪１３を、当該毛髪保持プレート１９の先端でＵ字形状に曲折させた状態で筒状部１５の内部に保持できるようになっている。
【００１１】
突出細管１６は、外径２．２ｍｍ程度、内径０．８ｍｍ程度の円筒管であって、ユニット本体１４の先端面を構成するヘッド部１８の先端面から３ｍｍ程度の長さで突出配置される。また突出細管１６は、ヘッド部１８の先端面の中央に１カ所、及びその周囲に９０度の等角度間隔で４カ所の合計５カ所に、略均等に分散して設けられている。各突出細管１６は、その基端部分においてヘッド部１８を貫通して形成された挿通孔２０と連通し、増毛用ピース１１の毛髪１３を筒状部１５の内部に向けて挿通させる。なお、突出細管１６の外径は、２〜３ｍｍ程度とすることが好ましい。突出細管１６の外径を２〜３ｍｍとすることにより、細管１６の肉厚が細くなりすぎて破損することがなく、また自毛をかきわかることを効果的に行うことができる。また、突出細管１６の突出長さは、１０ｍｍ以下が好ましく、０．５〜２ｍｍが特に好ましい。突出長さを０．５〜１０ｍｍとすることにより、自毛を効果的にかきわかることができ、またコンパクトさを保持してねらった所に植毛しやすくすることができる。
【００１２】
本実施形態によれば、増毛用ピース１１は、図３に概念図として示すように、裏面に粘着剤２１が塗着された基板１２と、この基板１２の表面に植設された複数の毛髪１３とからなる。また粘着剤２１の接着面には、微粉体としてのマイクロビーズ２２が撒かれていることにより、当該増毛用ピース１１を使用する前に、指やその他の物が粘着剤２１に接触しないように当該粘着剤２１を保護している。
【００１３】
基板１２は、直径３ｍｍ程度の円形の平面形状を有し、ウレタン又はポリエステルからなる５〜１００μｍ程度の厚さのものである。基板１２は、２００ｇ／ｍ2 ２４ｈ程度の透湿度（ＪＩＳ規格Ｚ０２０８カップ法Ｂ法による透湿度、測定条件４０℃、９０％ＲＨにて測定）と、２〜７ＭＰａ程度の機械強度（ＪＩＳ規格Ｋ６３０１による引っ張り試験機械強度１００％モジュラス４０℃）を備え、これによって頭皮の動きに追随する適度の可撓性と、複数の毛髪１３を一定期間安定して支持すると共に頭皮に負荷される物理的な荷重を受けても破損しない程度の物性を備える。また、その透湿性によって頭皮からの発汗作用に極端な影響を与えることがない。
【００１４】
粘着剤２１は、２００ｇ／ｍ2 ２４ｈ程度の透湿度（ＪＩＳ規格Ｚ０２０８カップ法Ｂ法による透湿度、測定条件４０℃、９０％ＲＨにて測定）を備える例えばＮ−アルキル置換アクリルアミドや（メタ）アクリレート、好ましくはアクリル酸ブチルアミド、アクリル酸２−エチルヘキシル、酢酸ビニル共重合体等からなり、５〜１００μｍ程度の厚さで、基板１２の裏面の全体に塗着される。これによって、裏面に粘着剤２１が塗着された基板１２は、その全体の厚さが１０〜２００μｍ程度に留まるので、増毛用ピース１０を頭皮に接着させた際に、指で触ってもほとんど感知することができず、取り付け後の違和感から開放されることになる。また、その透湿性によって頭皮からの発汗作用に極端な影響を与えることがない。
【００１５】
基板１２の表面に植設される毛髪１３は、人工毛髪或いは天然毛髪のいずれも使用することができるが、本実施形態によれば、例えば超音波溶融によって、１０ｃｍ程度の長さの６本の人工毛髪が植設されている。なお、植設される毛髪１３の本数や長さは、自毛の頭皮における密度や長さ等を鑑みて適宜設定することができる。
【００１６】
マイクロビーズ２２は、シリカ等からなる粒径０．５〜１０μｍ程度の大きさの粘着剤２１よりも硬い硬度の微粉体であって、乾式液晶スペーサ散布法（特開平６−１６０７９０号公報に記載の方法）により、粘着剤２１の接着面の全体にわたって略２〜５％の領域を覆うように付着している。なお、マイクロビーズ２２によって粘着剤２１の接着面を覆う領域が広すぎると、基板１２が頭皮に充分に接着しないおそれがあり、接着面を覆う領域が狭すぎると、当該増毛用ピース１１を使用する前に、指やその他の物が粘着剤２１に接触しやすくなる。
【００１７】
マイクロビーズ２２は、増毛用ピース１１の未使用時に粘着剤２１の接着面に付着した状態から、増毛用ピース１１の使用時において基板１２を頭皮に押し付ける押圧力を受けると、この押圧力の作用によって、図４に示すように、粘着剤２１の内部に沈み込んでゆき、粘着剤２１を接着面に表出させることにより、当該粘着剤２１を介して基板１２を頭皮に接着させる。
【００１８】
そして、上記構成の増毛用ピース１１は、毛髪１３が突出細管１６の先端開口から筒状部１５に向けて挿入されている状態で基板１２を突出細管１６の各先端開口に仮止めすることにより、ユニット本体１４に各々装着される（図１参照）。即ち、図５に示すように、５カ所の突出細管１６の各先端開口から増毛用ピース１１の毛髪１３を挿入し、毛髪１３の植毛部位の周囲に位置する基板１２の表面を各突出細管１６の開口縁部２３に当接させ、仮止用粘着剤２４を介して接着することにより、粘着剤２１が塗着された基板１２の裏面を先端側に向けた状態で、５つの増毛用ピース１１を増毛用ユニット１０に各々取り付ける。なお、仮止用粘着剤２４に代えて仮止用接着剤を用いることもできる。
【００１９】
本実施形態によれば、仮止用粘着剤（又は接着剤）２４は、粘着剤２１の粘着力よりも弱い粘着力を有する粘着剤（又は接着剤）からなり、各突出細管１６の開口縁部２３に予め塗着される。そして、基板１２の表面を開口縁部２３に当接させた際に、当該表面を接着して、増毛用ユニット１０の未使用時に各増毛用ピース１１を突出細管１６から抜け落ちないように安定した状態で仮止めする。また増毛用ユニット１０の使用時には、粘着力の強い粘着剤２１により頭皮に粘着した基板１２を、各突出細管１６の開口縁部２３から引き剥がして、毛髪１３を円筒部１６からスムースに抜き出しつつ増毛用ピース１１による植毛ができるようになっている。なお、仮止用粘着剤（又は接着剤）２４は非水溶性、水溶性いずれでもよいが、水溶性のものを用いることが好ましい。水溶性の粘着剤（又は接着剤）を用いることにより、増毛用ピース１１を頭皮に接着した後に、基板１２の表面側に付着したまま残った仮止用接着剤（又は接着剤）２４を洗い落として、当該仮止用粘着剤（又は接着剤）２４に汚れ等が付着するのを回避することができる。ここで、粘着剤としてはＮ−アルキル置換アクリルアミドや（メタ）アクリレート等を用いることができ、接着剤としては、ポリビニルアルコール、ポリアクリル酸、ポリビニルピロリドン等を用いることができる。
【００２０】
また、本実施形態の増毛用ユニット１０によれば、ユニット本体１４の先端面は１０ｍｍ程度の直径の円形形状を有し、これによって１ｃｍ2 程度の広さの領域の頭皮に増毛することを目的としているのに対して、先端面に略均等に分散して突出する５カ所の突出細管１６には、６本の毛髪１３を有する増毛用ピース１０が各々取り付けられいることから、かかる増毛用ユニット１０によって、１ｃｍ2 の頭皮に対して５×６＝３０本の毛髪１３を一度に植毛できることになる。一般に天然の自髪の数は、１ｃｍ2 の頭皮に対して１００〜２００本とされているが、３０本／ｃｍ2 で植毛すると隠蔽効果がある。本実施形態によれば、増毛用ユニット１０を用いて増毛用ピース１０を粘着させることにより、自毛に近い自然さでバランス良くスムースに増毛することが可能になる。
【００２１】
さらに、本実施形態の増毛用ユニット１０によれば、１０ｃｍ程度の長さの毛髪１３は、６０ｍｍ程度の長さの筒状部１５の内部において、毛髪保持プレート１９によりＵ字形状に曲折させた状態に保持されて、互いに絡みつくことなくまとまった状態で収容されるので、長い毛髪１３を増毛する場合でも、当該増毛用ユニット１０をコンパクトな形状にすることができると共に、筒状部１５からのスムースな抜き出しを可能にする。
【００２２】
本実施形態の増毛用ユニット１０を用いて、増毛用ピース１１を頭皮に接着させて増毛するには、図６（ａ）に示すように、残った天然の自毛２５を突出細管１６によりかき分けつつ、基板１２が仮止めされた突出細管１６の先端を頭皮に直接押し付ける。かかる押付けるまでの作業において、基板１２の裏面に塗着された粘着剤２１はマイクロビーズ２２によって覆われているので、周囲の自毛２５を付着させることがない。突出細管１６の先端を頭皮に押し付けた状態をしばらくの間保持すれば、この押圧力の作用によってマイクロビーズ２２は粘着剤２１の中に沈み込み、粘着剤２１が接着面に表出するので、基板１２が頭皮に強固に粘着することになる。しかる後に、図６（ｂ）に示すように、増毛用ユニット１０を引き上げれば、基板１２の仮止め状態が外れて、毛髪１３が円筒部１６からスムースに抜き出され、自毛２５の薄くなった頭皮に速やかに増毛されることになる。
【００２３】
そして、本実施形態の増毛用ユニット１０によれば、ユニット本体１４の筒状部１５の先端面から突出して突出細管１６が設けられ、この突出細管１６に、粘着剤２１が塗着された基板１２の裏面を先端側に向けた状態で増毛用ピース１１が取り付けらているので、突出細管１６を介して周囲の毛髪をかき分けつつ増毛用ピース１１の基板１２を頭皮に容易に届かせることができ、これによってスムースに増毛作業を行うことができる。
【００２４】
また、基板１２の裏面には粘着剤２１が予め塗着されているので、増毛用接着剤を別途用いることなく、簡単に増毛作業を行うことができる。
【００２５】
即ち、本実施形態の増毛用ユニット１０によれば、基板１２が仮止めされた突出細管１６の先端を頭皮に直接押し付けた後、増毛用ユニット１０を引き上げる作業によって、自毛に近い密度でバランス良く迅速に増毛することができる。
【００２６】
なお、本発明は上記実施形態に限定されることなく種々の変更が可能である。例えば、細管部は突出細管である必要は必ずしもなく、図７（ａ）に示すように、筒状部１５の先端面に貫通孔３０を形成して細管部としても良い。また細管部は筒状部の先端面から５カ所突出させる必要は必ずしもなく、１カ所のみであっても良い。また、増毛用ピースは、基板の裏面に粘着剤が予め塗着されたものである必要は必ずしもなく、別途用意した増毛用接着剤を基材に付着させて用いるものであっても良い。さらに、筒状部は必ずしも円筒状である必要はなく、その長さも適宜設定することができる。さらに、増毛用ピースの毛髪は、Ｕ字形状に曲折した状態で筒状部に収容する必要は必ずしもなく、図７（ｂ）に示すように、相当の長さを有する筒状部の内部に曲折することなく収容することもでき、また図７（ｃ）に示すように、毛髪の後方部分を筒状部からはみ出させてフリーにした状態で収容することもできる。このように毛髪を収容することにより、毛髪にくせがつくのを回避することができる。
【００２７】
【発明の効果】
本発明の増毛用ユニットによれば、基板を頭皮に接着させた後、人工毛髪をスムースに抜き出すことを可能にして増毛作業を容易にすることができる。また、細管部を突出細管とすれば、増毛用ピースの基板を頭皮に直接届かせることを容易にしてさらにスムースな増毛作業を行うことが可能になる。また、増毛用ピースの基板の裏面に粘着剤を塗着しておくことにより、増毛用接着剤を別途必要とすることなく簡単に増毛作業を行うことができる。
【図面の簡単な説明】
【図１】本発明の一実施形態に係る増毛用ユニットの斜視図である。
【図２】（ａ）は、本発明の一実施形態に係る増毛用ユニットのユニット本体を構成するヘッド部の側面図、（ｂ）はシリンダー部の断面図、（ｃ）は（ａ）を上方から見た平面図、（ｄ）は（ａ）を下方から見た平面図である。
【図３】本発明の一実施形態に係る増毛用ユニットを構成する増毛用ピースを説明する概念図である。
【図４】増毛用ピースを頭皮に取り付けた状態を説明する概念図である。
【図５】増毛用ピースを突出細管の開口縁部に仮止めする状況の説明図である。
【図６】（ａ）及び（ｂ）は、増毛用ユニットを用いて増毛用ピースを頭皮に取り付ける状態の説明図である。
【図７】（ａ）〜（ｃ）は、増毛用ユニットの他の形態を示す斜視図である。
【図８】従来の増毛用具を示す斜視図である。
【符号の説明】
１０  増毛用ユニット
１１  増毛用ピース
１２  基板
１３  毛髪
１４  ユニット本体
１５  筒状部
１６  突出細管（細管部）
１７  シリンダー部
１８  ヘッド部
１９  毛髪保持プレート
２０  挿通孔
２１  粘着剤
２２  マイクロビーズ
２３  開口縁部
２４  仮止め用接着剤
２５  自毛
【図１】
0003821657.tif 000002
【図２】
0003821657.tif 000003
【図３】
0003821657.tif 000004
【図４】
0003821657.tif 000005
【図５】
0003821657.tif 000006
【図６】
0003821657.tif 000007
【図７】
0003821657.tif 000008
【図８】
0003821657.tif 000009